(57)【特許請求の範囲】
【請求項１】
面材と断熱層と被覆材とを接着してなるパネル基体の面材に、断熱材を表裏面からシート材で接着した断熱部材を接着して一体化した断熱パネルにおいて、被覆材は断熱層の縁部より外方に突出した延出部を有し、２枚のシート材は断熱材の縁部より外方に突出した端部片を有していることを特徴とする断熱パネル。
【発明の詳細な説明】
【０００１】
【産業上の利用分野】
本発明は、建築、構築物に断熱層を形成しつつ耐力壁を形成する断熱パネルに係るものである。
【０００２】
【従来の技術】
従来、建築、構築物の壁面において、耐力壁を形成しつつ断熱層を形成する断熱パネルで、かつ板材の表裏両面に断熱層を形成することによって夏期、冬期を通じて表裏面の断熱層と板材の境界への結露の発生を防止する構成とした断熱パネルには、例えば実開平５−８３１１３号のようなものがあった。すなわち、柱間での構造部材をなす板状部材と、敷設されたときに板状部材の屋外側に位置する外側断熱材と、板状部材の屋内側に位置する内側断熱層とから構成されるものであった。
【０００３】
【発明が解決しようとする課題】
上述したような断熱パネルは、▲１▼板状部材の片面上に合成樹脂を発泡させたり、所定の断熱材を取り付けたりすることによって一旦、板状部材の一方面の断熱層を形成した後、表裏を逆にして板状部材のもう一方の面に断熱層を同様の方法にて形成しなければならない。▲２▼板状部材の一方の面に断熱層を形成したものを、一旦保存しておくための広大なスペースが必要となる。▲３▼板状部材の一方面に断熱層を形成した状態でもう一方面の断熱層を形成する過程で、最初に形成した断熱層を破損する恐れがある。▲４▼連続生産が困難である。等の弱点があった。
【０００４】
【課題を解決するための手段】
面材と断熱層と被覆材とを接着してなるパネル基体の面材に、断熱材を表裏面からシート材で接着した断熱部材を接着して一体化した断熱パネルにおいて、２枚のシート材は断熱材の縁部より外方に突出した端部片を有していることを特徴とする断熱パネルを提案する。
【０００５】
【作用】
表面に断熱層を予め設けたパネル基体の面材の裏面に、別途に形成した断熱部材を配するので、パネル基体と断熱部材を同時に製造して後に取り付ければ良いので、面材の両面への断熱層の形成を容易に行える。また、パネル基体と断熱部材の製造を平行して行えるので、製造途中の部材を保管する場所を特に必要とせず、連続的に生産出来る。また、パネル基体の面材の裏面に断熱部材を取り付けるだけなので、断熱層を破損することがない。
【０００６】
【発明の実施の形態】
以下に、本発明の断熱パネルについて説明する。図１（ａ）、（ｂ）、図２（ａ）〜（ｃ）は本発明に係る断熱パネルを説明する説明図であり、Ａはパネル基体Ｂ、断熱部材Ｃよりなる断熱パネルＡ、１は面材、２は断熱層、３は被覆材、１１は断熱材、１２は第１シート材、１４は第２シート材である。
【０００７】
パネル基体Ｂは、面材１と、面材１の表面に配した断熱層２と、断熱層２の表面に配した被覆材３とから構成する。
【０００８】
面材１は所定の規格寸法を有し、耐力壁としての強度ないし機能を備えているもので、例えばＪＡＳ規格に適合する構造用合板やＪＩＳ規格に適合するパーティクルボード等からなり、所定の気密性、防湿性を有するもので、２種以上を組み合わせた複合板でも良い。なお、面材１の任意の端部、図中においては板材の４辺から所定幅を、躯体への釘打ち等を行うための固定部５とする。
【０００９】
断熱層２は、少なくとも面材１の表面側の固定部５を除く範囲に配するもので、例えばスチレンフォーム（スチレンボード）、ポリウレタンフォーム（ウレタンボード）、ポリイソシアヌレートフォーム、フェノールフォーム、塩化ビニルフォーム、ポリエチレンフォーム、ポリスチレンフォーム、ユリアフォーム等の合成樹脂発泡体からなるもの、或いはボード状に形成されたものを接着剤等で貼着したもの、或いは各種軟質フォーム、グラスウール、ロックウール等の変形が容易なもの等のうち少なくとも１種以上からなる。断熱層２を面材１と一体に発泡、形成したものは面材１との接着力が高く、製造が容易である。
【００１０】
被覆材３は、断熱層２の表面に接着剤、もしくは断熱層２を合成樹脂の発泡によって成形する際の自己接着力によって貼着するもので、例えばアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物、もしくは通気性防水シート等からなるものである。被覆材３は、気密性、防湿性、防水性等のうち少なくとも１つ以上の機能を有し、断熱層２が外部の空気に含まれる湿気を吸収するのを防止すると共に、断熱層２を面材１上に合成樹脂を吐出発泡することで形成する場合、断熱層２の厚みを調整する役割を持つ。
【００１１】
延出部４は、断熱層２の表面に配した被覆材３の縁部を、断熱層２の縁部より外方に延出した部分で、後述するように断熱補助材Ｄを隣合う断熱パネルＡの断熱層２同士の間に嵌装した際、断熱補助材Ｄの表面に被着する部分である。なお、断熱補助材Ｄの表面は延出部４によって完全に被覆されているのが好ましく、よって被着部分４は固定部５よりも広い幅を有しているのが好ましい。
【００１２】
断熱部材Ｃは、断熱材１１を表裏面からそれぞれ第１シート材１２、第２シート材１４によって挟持して形成する。
【００１３】
断熱材１１は、例えばスチレンフォーム（スチレンボード）、ポリウレタンフォーム（ウレタンボード）、ポリイソシアヌレートフォーム、フェノールフォーム、塩化ビニルフォーム、ポリエチレンフォーム、ポリスチレンフォーム、ユリアフォーム等の合成樹脂発泡体からなるもの、或いはボード状に形成されたものを接着剤等で貼着したもの、或いは各種軟質フォーム、グラスウール、ロックウール等の変形が容易なもの等のうち少なくとも１種以上からなり、断熱層２と同一の材質でも、異なる材質でも良い。
【００１４】
第１シート材１２、第２シート材１４は、断熱材１１の表面、裏面にそれぞれ接着剤、もしくは断熱材１１を合成樹脂の吐出発泡によって成形する際の自己接着力によって貼着するもので、例えばアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物、もしくは通気性防水シート等からなるもので、気密性、防湿性、防水性等のうち少なくとも１つ以上の機能を有し、断熱材１１が空気に含まれる湿気を吸収するのを防止すると共に、断熱材１１を合成樹脂の吐出発泡によって形成する場合、断熱材１１のサイズを調整する役割を有する。なお、第１シート材１２と第２シート材１４は、同一の材料でも、異なる材料でも良く、また、被覆材３と同一の材質でも、異なる材質でも良い。
【００１５】
第１シート材１２、第２シート材１４はそれぞれ所定の端部に端部片１３、１５を有するもので、ここではそれぞれの４辺に設けた例を示している。
【００１６】
端部片１３は、第１シート材１２の端部近傍に形成するもので、第１シート材１２を断熱材１１の表面の縁部近傍の所定幅に亘って断熱材１１と分離し、かつ断熱材１１の縁部より外方に突出した部分である。また、端部片１５は、第２シート材１４の端部近傍に形成するもので、第２シート材１４を断熱材１１の裏面の縁部近傍の所定幅に亘って断熱材１１と分離し、かつ断熱材１１の縁部より外方に突出した部分である。
【００１７】
端部片１３、１５は、断熱部材Ｃをパネル基体Ｂに取り付ける以前、および取り付け後において、断熱材１１の側面を隠ぺいして断熱材１１が空気中の湿気を吸収するのを防止すると共に、断熱パネルＡを躯体Ｆに固着した際に、近傍の柱材や軒桁、胴差又は土台等の横架材の少なくとも一部分を被覆することで、断熱下地Ｅの気密性の向上に寄与すると共に、断熱パネルＡと躯体Ｆの境界に構築物の内部からの湿気を多く含んだ空気、もしくは湿気が浸入するのを防止出来、断熱パネルＡと躯体Ｆとの境界部における結露の発生を防止出来る。
【００１８】
また、端部片１３、１５は断熱材１１と分離していることから、端部片１３、１５が位置する範囲の断熱材１１は切除が容易であり、物件に応じて断熱材１１の寸法を調整する作業が容易となる。
【００１９】
以下に、断熱パネルＡを形成する過程、および断熱パネルＡを用いて断熱下地Ｅを形成する工程を説明する。まず、図２（ａ）に示すように端部片１３、１５を折り返し、必要に応じて断熱材１１の端部を切除して寸法を調節する。なお、断熱材１１の中央近傍は間柱等の位置に対応するよう切除するが、この範囲では断熱材１１と第１シート材１２の境界を未接着とするか、離型性を有する部材を配しておくものである。
【００２０】
次に、図２（ｂ）に示すように、パネル基体Ｂの面材１の裏面に第１シート材１２を介して断熱部材Ｃを取り付け、図２（ｃ）に示すように断熱パネルＡを形成する。なお、図２（ｂ）に点線矢印で示すように延出部４、端部片１３、１５をそれぞれ折り返しておくことが好ましい。
【００２１】
次に、図３（ａ）に示すように、躯体Ｆを構成する柱２１、間柱２２および図示しない横架材の間に断熱材１１を嵌装し、固定部５を躯体Ｆに当接して釘等の固定具を釘打ちし、断熱パネルＡを躯体Ｆに固着する。
【００２２】
次に、図３（ｂ）に示すように、隣合う断熱パネルＡの断熱材３同士の間に、断熱補助材Ｄを嵌装し、点線矢印のように延出部４、端部片１３、１５を折り返して図４（ａ）に示すような断熱下地Ｅを形成する。断熱補助材Ｄは、断熱材３と断熱補助材Ｄとで躯体Ｆの表面に連続した断熱層を形成することで熱橋を無くすと共に、隣合う断熱パネルＡの固定部５同士の間の目地部を被覆し、断熱下地Ｅの断熱性、気密性の向上に寄与する。
【００２３】
また、図４（ａ）において点線で囲んだ範囲ａの拡大図である図５に示すように、延出部４を断熱補助材Ｄの表面に被着させることで、断熱パネルＡと躯体Ｆの境界に構築物の外部からの湿気を多く含んだ空気、もしくは湿気が浸入するのを防止出来、断熱パネルと躯体との境界部における結露の発生を防止、気密性の向上が図れる。
【００２４】
また、端部片１３、１５を躯体の構成材の一部に被着させることで、断熱パネルＡと躯体Ｆの境界に構築物の内部からの湿気を多く含んだ空気、もしくは湿気が浸入するのを防止出来、断熱パネルと躯体との境界部における結露の発生を防止、気密性の向上が図れる。
【００２５】
次に、図４（ｂ）に示すように、胴縁３１、外装材３２、外装材３４を配し、外通気層３３、内通気層３５を有する外装構造Ｇを形成するものである。
【００２６】
なお、ここでは断熱層１１の所定範囲を切除した後にパネル基体Ｂと断熱部材Ｃを一体化して断熱パネルＡを形成する方法を示したが、パネル基体Ｂと断熱部材Ｃを一体化して断熱パネルＡを形成した後に断熱層１１の所定範囲を切除しても、勿論構わない。
【００２７】
以上説明したのは、本発明の代表的な一例にすぎず、以下に記述するように変形することも出来る。すなわち、図６（ａ）、（ｂ）は断熱部材Ｃの第１シート材１２を断熱材１１の表面全域を被覆するように配し、端部片１３を有さないものとした例である。
【００２８】
なお、図７（ａ）に斜線で示す示す範囲ｂにおいて、第１シート材１２を板材１に接着せずに分離しておいたり、または図７（ｂ）に斜線で示す範囲ｃにおいて断熱層１１と第１シート材１２を接着せずに分離しておいたり、第１シート材１２に断熱層１１に対して離型性を有する部材を配したり、断熱層１１と第１シート材１２の境界に紙材やフィルム材を配することにより、パネル基体Ｂを断熱部材Ｃに取り付ける前、もしくはパネル基体Ｂと断熱部材Ｃを一体化した後に断熱層１１の端部等を切除することによって寸法を調整する作業を容易にすることが出来る。
【００２９】
図６（ａ）、（ｂ）、図７（ａ）、（ｂ）に示したパネル基体Ｂ、断熱部材Ｃを用いて断熱パネルＡを形成する過程、およびその断熱パネルＡを用いて断熱下地Ｅを形成する工程を説明する。まず、図８（ａ）に示すように面材１に第１シート材１２を貼着してパネル基体Ｂと断熱部材Ｃを一体化し、断熱パネルＡを形成する。
【００３０】
次に、図８（ｂ）に示すように必要に応じて断熱材１１を切除し、図８（ｃ）に示すような状態とする。ここで断熱材１１の切除される範囲には、先述したような切除を容易ならしめる加工が、予め施されているものである。
【００３１】
次に、図９（ａ）に示すように、断熱パネルＡの固定部５を躯体Ｆに当接して釘等の固定具を釘打ちし、断熱パネルＡを躯体Ｆに固着し、図９（ｂ）に示すように、隣合う断熱パネルＡの断熱材３同士の間に、断熱補助材Ｄを嵌装し、点線矢印のように延出部４、端部片１５を折り返して図１０（ａ）に示すような断熱下地Ｅを形成する。次に、図１０（ｂ）に示すように、胴縁３１、外装材３２、外装材３５を配し、外通気層３３、内通気層３５を有する外装構造Ｇを形成するものである。
【００３２】
なお、図１１は図１０（ｂ）の点線で囲んだ範囲の拡大図であり、延出部４によって断熱補助材Ｄを被覆し、端部片１５によって躯体Ｆ一部を被覆することによって、断熱下地Ｅの断熱性、気密性を向上させると共に、断熱パネルＡと躯体Ｆの境界への結露の発生の防止を図るものである。
【００３３】
また、図１１は断熱パネルＡの躯体Ｆへの取り付けのその他の例を、図５、図１１と同様の拡大図にて示したもので、固定部５と断熱補助材Ｄの間に当て木４１を介在した例である。すなわち、断熱パネルＡの躯体Ｆへの固着は、固定具αを当て木４１上から固定部５を貫通させるように打ち込んで行うことにより、耐力壁としての強度の向上を図った例である。
【００３４】
【発明の効果】
表面に断熱層を予め設けたパネル基体の面材の裏面に、別途に形成した断熱部材を配するため、パネル基体と断熱部材を同時にして製造し、取り付ければ良いので、面材の両面への断熱層の形成を容易に行える。また、パネル基体と断熱部材の製造を平行して行えるので、製造途中の部材を保管する場所を特に必要とせず、連続的に生産出来る。また、パネル基体の面材の裏面に断熱部材を取り付けるだけなので、断熱層を破損することがない。また、延出部や端部片を設けることで、断熱下地の気密性の向上および躯体の構成材と断熱パネルの境界への結露の発生を防止出来る。さらに、柱や間柱に合せて断熱材を切除し、面材を柱や間柱に釘打ちして固定すれば、柱の外側だけでなく、柱間の充填断熱や柱の内側の断熱が確保され、被覆材により断熱パネル間の目地部または柱との取合い部を被覆し、断熱性や気密性を向上させる効果が得られる。等の特徴、効果がある。
【図面の簡単な説明】
【図１】断熱パネルの分解説明図である。
【図２】断熱パネルの形成順序を示す説明図である。
【図３】断熱下地の施工順序を示す説明図である。
【図４】断熱下地と外装構造を示す説明図である。
【図５】断熱下地の部分拡大図である。
【図６】その他の例の断熱パネルの分解説明図である。
【図７】その他の例の断熱パネルの分解説明図である。
【図８】その他の例の断熱パネルの形成順序を示す説明図である。
【図９】その他の例の断熱パネルを用いた断熱下地の施工順序を示す説明図である。
【図１０】その他の例の断熱パネルを用いて形成した断熱下地と外装構造を示す説明図である。
【図１１】その他の例の断熱パネルを用いて形成した断熱下地の部分拡大図である。
【図１２】その他の例の断熱パネルを用いて形成した断熱下地の部分拡大図である。
【符号の説明】
α  固定具
Ａ  断熱パネル
Ｂ  パネル基体
Ｃ  断熱部材
Ｄ  断熱補助材
Ｅ  断熱下地
Ｆ  躯体
Ｇ  外装構造
１  面材
２  断熱層
３  被覆材
４  延出部
５  端部片
１１  断熱材
１２  第１シート材
１３  端部片
１４  第２シート材
１５  端部片
２１  柱
２２  間柱
３１  胴縁
３２  外装材
３３  外通気層
３４  外装材
３５  内通気層
４１  当て木
【図１】
0003873227.tif 000002
【図２】
0003873227.tif 000003
【図３】
0003873227.tif 000004
【図４】
0003873227.tif 000005
【図５】
0003873227.tif 000006
【図６】
0003873227.tif 000007
【図７】
0003873227.tif 000008
【図８】
0003873227.tif 000009
【図９】
0003873227.tif 000010
【図１０】
0003873227.tif 000011
【図１１】
0003873227.tif 000012
【図１２】
0003873227.tif 000013